(57)【要約】      （修正有）【課題】室内機の設置時の作業性を向上できる空気調和機を提供する。【解決手段】室内の壁面に設置される室内機１と屋外に設置される室外機とを配線９８により接続した空気調和機において、室内機１は、室内機１の筐体内に配線９８を接続する端子台２０を収納する電装ボックス１０を有し、端子台２０は、前後方向に移動可能に設けられる。【選択図】図５
2018025316.tif 000002
【特許請求の範囲】
【請求項１】
室内の壁面に設置される室内機と屋外に設置される室外機とを配線により接続した空気調和機において、
前記室内機は、前記室内機の筐体内に前記配線を接続する端子台を収納する電装ボックスを有し、
前記端子台は、前後方向に移動可能に設けられることを特徴とする空気調和機。
【請求項２】
前記端子台を保持するホルダーを備え、前記ホルダーが前記端子台を取り付ける取付部と、前記取付部から後方に延びる延設部とを有し、前記延設部が嵌合して案内される案内部を前記電装ボックスに設けたことを特徴とする請求項１に記載の空気調和機。
【請求項３】
前記端子台を前方に移動した際に、少なくとも前記取付部が下部を後方に傾斜可能に形成されることを特徴とする請求項２に記載の空気調和機。
【請求項４】
前記取付部が前記端子台の背面に面して配される板状に形成され、前記取付部の前面側の下端に面取りを設けたことを特徴とする請求項２又は３に記載の空気調和機。
【請求項５】
前記配線を挟持するクランプ部を設け、前記クランプ部及び前記ホルダーをネジにより前記電装ボックスに一体に固定したことを特徴とする請求項１〜４のいずれかに記載の空気調和機。
【請求項６】
前記室内機が前記電装ボックスの前面を覆うカバー部材を有し、前記カバー部材を開いた状態で前記端子台が前記電装ボックスの前面よりも前方に移動可能に設置されることを特徴とする請求項１〜５のいずれかに記載の空気調和機。
【発明の詳細な説明】
【技術分野】
【０００１】
本発明は、配線を接続する端子台を備えた空気調和機に関する。
【背景技術】
【０００２】
従来の空気調和機は特許文献１に開示されている。この空気調和機は室内の壁面に取り付けられる室内機と屋外に設置される室外機とを配線により接続する。室内機の筐体の前面はカバー部材により覆われ、筐体内の一側端部には電装部品を収納する電装ボックス（電装品箱）が配される。電装ボックスの前部には下方を前方に傾斜する傾斜面を有した取付板（蓋体）が回動自在に配される。傾斜面上には配線を接続する端子台が取り付けられる。
【０００３】
上記構成の空気調和機において、室内機を設置する際に、室内の壁を貫通する配線は筐体の背面から進入する。そして、カバー部材を取り外して露出した端子台に下方から配線が接続される。また、カバー部材を取り外して取付板を上方に回動させることにより、取付板よりも後方の電装部品のメンテナンスが行われる。
【先行技術文献】
【特許文献】
【０００４】
【特許文献１】特開２００３−８３５６７号公報
【発明の概要】
【発明が解決しようとする課題】
【０００５】
しかしながら、上記従来の空気調和機によると、筐体に後方から進入した配線が電装ボックス内の前部で先端を急激に上方に屈曲して下方から端子台に接続される。この時、電装ボックス内は手指を挿入するスペースが狭く、配線は柔軟性に乏しい太い導線により形成される。このため、曲率の大きい配線を端子台に容易に接続することができない。また、端子台が下方を前方に傾斜するため配線の曲率がより大きくなる。したがって、室内機の設置時の作業性が悪い問題があった。
【０００６】
特に、近年の室内機は送風効率向上のために前後方向に長く上下方向に短くなっている。このため、配線の曲率が更に大きくなり、室内機の設置時の作業性がより悪くなる。
【０００７】
本発明は、室内機の設置時の作業性を向上できる空気調和機を提供することを目的とする。
【課題を解決するための手段】
【０００８】
上記目的を達成するために本発明は、室内の壁面に設置される室内機と屋外に設置される室外機とを配線により接続した空気調和機において、前記室内機は、前記室内機の筐体内に前記配線を接続する端子台を収納する電装ボックスを有し、前記端子台は、前後方向に移動可能に設けられることを特徴とする。
【０００９】
また、本発明は上記構成の空気調和機において、前記端子台を保持するホルダーを備え、前記ホルダーが前記端子台を取り付ける取付部と、前記取付部から後方に延びる延設部とを有し、前記延設部が嵌合して案内される案内部を前記電装ボックスに設けたことを特徴とする。
【００１０】
また、本発明は上記構成の空気調和機において、前記端子台を前方に移動した際に、少なくとも前記取付部が下部を後方に傾斜可能に形成されることを特徴とする。
【００１１】
また、本発明は上記構成の空気調和機において、前記取付部が前記端子台の背面に面して配される板状に形成され、前記取付部の前面側の下端に面取りを設けたことを特徴とする。
【００１２】
また、本発明は上記構成の空気調和機において、前記配線を挟持するクランプ部を設け、前記クランプ部及び前記ホルダーをネジにより前記電装ボックスに一体に固定したことを特徴とする。
【００１３】
また、本発明は上記構成の空気調和機において、前記室内機が前記電装ボックスの前面を覆うカバー部材を有し、前記カバー部材を開いた状態で前記端子台が前記電装ボックスの前面よりも前方に移動可能に設置されることを特徴とする。
【発明の効果】
【００１４】
本発明によると、配線を容易に接続することができ、室内機の設置時の作業性を向上することができる。
【図面の簡単な説明】
【００１５】
【図１】本発明の第１実施形態の空気調和機を示す斜視図
【図２】本発明の第１実施形態の空気調和機の室内機のオープンパネルを取り外した正面図
【図３】図２のＡ−Ａ断面図
【図４】図３のＢ部の拡大図
【図５】本発明の第１実施形態の空気調和機の室内機の電装ボックスの要部を示す側面断面図
【図６】本発明の第２実施形態の空気調和機の室内機の電装ボックスの要部を示す側面断面図
【図７】本発明の第２実施形態の空気調和機の室内機のクランプ部を示す上面図
【図８】本発明の第３実施形態の空気調和機の室内機の電装ボックスの要部を示す側面断面図
【発明を実施するための形態】
【００１６】
以下に図面を参照して本発明の実施形態を説明する。図１は第１実施形態のセパレート型の空気調和機の斜視図を示している。空気調和機１００は室内機１及び室外機９９から構成される。室内機１は室内の壁面Ｗに設置され、屋外に設置された室外機９９に配線９８により接続される。室内機１はリモートコントローラ（不図示）の操作により運転開始や運転停止等が指示される。
【００１７】
室内機１はオープンパネル３（カバー部材）を前面に配した筐体２により外面を覆われる。オープンパネル３は上端で枢支され、筐体２の前面を開閉可能に配される。筐体２の側面からは電源コード６が導出される。電源コード６は壁面Ｗに設けた電源コンセントＣに接続され、室内機１に電力を供給する。
【００１８】
筐体２の上面には吸込口４が左右方向に延びて開口し、筐体２の前面下部には吹出口５が左右方向に延びて開口する。筐体２の内部には吸込口４と吹出口５とを連結する空気通路（不図示）が設けられる。空気通路内には空気を送出する送風機９７（図３参照）が配される。送風機９７の駆動によって吸込口４から室内の空気が空気通路に流入し、吹出口５から送出される。送風機９７が備えるファンとしてはクロスフローファンが好適に用いられるが、他の種類の送風機９７、例えばプロペラファンを有する送風機を用いてもよい。
【００１９】
空気通路内の吸込口４と送風機９７との間には熱交換器９６（図３参照）が配される。熱交換器９６は冷凍サイクルに組み込まれており、室外機９９に配した圧縮機（不図示）に接続され、空気通路を流通する空気と熱交換を行う。これにより、空気調和機１００の冷房運転時及び暖房運転時に、吹出口５から冷気及び暖気が室内にそれぞれ送出される。
【００２０】
図２はオープンパネル３を開いた状態の室内機１の正面図を示しており、オープンパネル３の記載を省略している。また、図３は図２のＡ−Ａ断面図を示している。筐体２の右端部には電装ボックス１０が設けられる。電装ボックス１０には制御基板（不図示）及び端子台２０が配される。制御基板は空気調和機１００の駆動を制御する。端子台２０には配線９８が接続される。壁面Ｗを貫通した配線９８は筐体２の背面２ａから筐体２内に進入し、電装ボックス１０の前部で上方に屈曲して端子台２０に下方から接続される。
【００２１】
図４は図３のＢ部拡大図を示している。端子台２０は複数の端子（不図示）を有し、配線９８が接続される。端子台２０の後方にはホルダー２２が設けられる。
【００２２】
ホルダー２２は端子台２０を取り付ける取付部２３と、取付部２３から後方に延びる延設部２４とを有している。取付部２３は板状に形成され、端子台２０の背面に面して配される。取付部２３の下壁２３ａの下端の前面側には面取り２３ｂが設けられる。延設部２４は円柱状に形成され、後端に鍔状のストッパ２４ａが設けられる。
【００２３】
端子台２０はネジ２１が挿通される貫通孔２０ａを有し、ネジ２１をホルダー２２に設けたネジ孔２２ａに螺合してホルダー２２に保持される。
【００２４】
電装ボックス１０の背壁１０ｄ上には収納部１０ａ及び案内部１０ｂが形成される。収納部１０ａは背壁１０ｄの前面を凹設して形成され、板状の取付部２３が嵌合する。案内部１０ｂは背壁１０ｄから後方に延びる円筒状に形成され、延設部２４が嵌合する。案内部１０ｂにより延設部２４を案内してホルダー２２とともに端子台２０が前後方向に平行移動する。
【００２５】
オープンパネル３（図１参照）を開くと、端子台２０を、図４に示すように端子台２０が固定される固定位置（端子台２０が収納される収納位置）から、図５に示すように固定位置よりも前方の作業位置に移動させることができる。本実施形態では、設置作業者が作業する作業位置は電装ボックス１０の前面１０ｃよりも前方に配される。
【００２６】
端子台２０はホルダー２２に保持されているため、前方へ端子台２０を移動させるとホルダー２２も端子台２０とともに移動する。この時、ストッパ２４ａが案内部１０ｂの後端に当接することにより、端子台２０及びホルダー２２の脱落が防止される。
【００２７】
なお、端子台２０を覆うとともに、金属板で形成されている端子台カバー（不図示）が電装ボックス１０の前面１０ｃに設けられている場合がある。この時、オープンパネル３を開き、端子台カバーを取り外した後、端子台２０を電装ボックス１０の前面１０ｃよりも前方の作業位置に移動させることができる。
【００２８】
空気調和機１００の設置時に室内機１が壁面Ｗに取り付けられ、配線９８が筐体２の背面２ａから筐体２内に進入する。オープンパネル３を開いて端子台２０及びホルダー２２が設置作業者により前方に引き出され、配線９８が端子台２０に接続される。
【００２９】
この時、端子台２０が電装ボックス１０の前面１０ｃよりも前方に平行移動するため、配線９８を接続する作業スペースを広く確保することができる。また、筐体２の前部で上方に屈曲する配線９８の曲率を小さくすることができる。このため、配線９８を容易に接続することができる。
【００３０】
また、取付部２３の前面側の下端に面取り２３ｂが設けられる。このため、端子台２０に下方から接続される配線９８と取付部２３の下端との摺動による配線９８の損傷を防止できる。なお、端子台２０の前面の一部は解放されており、設置作業者は端子台２０に配線９８が接続されたことを正面から確認することできる。
【００３１】
配線９８が端子台２０に接続されると、ホルダー２２とともに端子台２０が後方に移動して電装ボックス１０内に収納される。この時、取付部２３が収納部１０ａに嵌合し、ホルダー２２が回り止めされる。延設部２４の外面及び案内部１０ｂの内面の断面形状を多角形等の非円形に形成してホルダー２２を回り止めしてもよい。
【００３２】
なお、オープンパネル３を着脱可能に形成し、オープンパネル３を取り外して電装ボックス１０の前面１０ｃ開いてもよい。
【００３３】
本実施形態によると、オープンパネル３（カバー部材）を開いた状態で端子台２０が電装ボックス１０の前面１０ｃよりも前方に移動可能に設置される。これにより、筐体２に背面２ａから進入した配線９８が電装ボックス１０の前方に引き出された端子台２０に接続される。このため、配線９８を接続する作業スペースが広くなるとともに上方に屈曲する配線９８の曲率を小さくできる。したがって、配線９８を容易に接続することができ、室内機１の設置時の作業性を向上することができる。
【００３４】
また、ホルダー２２が端子台２０を取り付ける取付部２３から後方に延びる延設部２４を有し、延設部２４が嵌合する案内部１０ｂを電装ボックス１０に設けた。これにより、前後方向に平行移動可能な端子台２０を容易に実現できる。
【００３５】
また、取付部２３が端子台２０の背面に面して配される板状に形成され、取付部２３の前面側の下端に面取り２３ｂを設けた。これにより、端子台２０に配線９８を接続する際に、配線９８とホルダー２２との摺動による配線９８の損傷を防止できる。
【００３６】
本実施形態において、ホルダー２２をバネにより前方に付勢し、前方からの押圧によりホルダー２２の係止及び係止解除を行う係止部を設けてもよい。これにより、端子台２０の押圧によって係止部が係止解除されると、端子台２０がポップアップして容易に作業できるためより望ましい。
【００３７】
本実施形態において、端子台２０を電装ボックス１０の前面１０ｃよりも前方の作業位置に移動させる構成とした。しかしながら、少なくとも、端子台２０及びホルダー２２を電装ボックス１０が筐体２に固定される固定位置よりも前方の作業位置に移動させる構造であればよい。なぜなら、作業位置が電装ボックス１０の前面１０ｃよりも後方であっても、端子台２０を前方に移動させることで、配線９８を接続する作業スペースが広くなるとともに上方に屈曲する配線９８の曲率を小さくできる。これにより、端子台２０が固定位置にある場合よりも配線９８の接続が容易になる。
【００３８】
＜第２実施形態＞
次に、図６は第２実施形態の空気調和機１００の電装ボックス１０の要部を示す側面断面図である。説明の便宜上、前述の図１〜図５に示す第１実施形態と同様の部分には同一の符号を付している。本実施形態は配線９８をクランプするクランプ部２５が設けられている。その他の部分は第１実施形態と同様である。
【００３９】
クランプ部２５は端子台２０の下方に配され、電装ボックス１０の背壁１０ｄに設けたボス１０ｅにネジ２６によりネジ止めされる。ネジ２６はホルダー２２の取付部２３を貫通し、クランプ部２５及びホルダー２２が電装ボックス１０に一体に固定される。
【００４０】
図７はクランプ部２５の上面図を示している。クランプ部２５には内面が円筒面の上下に延びる環状部２５ａが設けられる。環状部２５ａの周上の一端は隙間２５ｂにより開放され、隙間２５ｂを介して対向する一対の固定部２５ｃに前後に延びる貫通孔２５ｄが設けられる。なお、配線９８が扁平形状である場合、環状部２５ａは配線９８の形状に合わせて扁平形状にすることができる。このように、環状部２５ａは配線９８の形状に適した形状が形成される。なお、環状部２５ａが複数の配線９８の形状に適した形状であってもよい。
【００４１】
配線９８を環状部２５ａに挿通して貫通孔２５ｄに挿通したネジ２６を締結すると、環状部２５ａにより配線９８が挟持される。これにより、配線９８の脱落を防止することができる。
【００４２】
また、ネジ２６によりホルダー２２を電装ボックス１０に固定したので端子台２０のがたつきを防止できる。この時、ホルダー２２がネジ２６によりクランプ部２５と一体に固定されるため、設置の作業時間を短縮することができる。
【００４３】
本実施形態によると、第１実施形態と同様の効果を奏することができる。また、配線９８を挟持するクランプ部２５及びホルダー２２をネジ２６により電装ボックス１０に一体に固定した。これにより、配線９８の脱落防止及びホルダー２２の固定を同時に行い、設置の作業時間を短縮することができる。なお、第１実施形態の空気調和機１００のホルダー２２を電装ボックス１０にネジ止めしてもよい。
【００４４】
＜第３実施形態＞
次に、図８は第３実施形態の空気調和機１００の電装ボックス１０の要部を示す側面断面図である。説明の便宜上、前述の図１〜図５に示す第１実施形態と同様の部分には同一の符号を付している。本実施形態はホルダー２２の取付部２３が延設部２４に対して傾斜可能に形成される。その他の部分は第１実施形態と同様である。
【００４５】
取付部２３には後方へ突出して後端を球面状に形成された突出部２３ｄが設けられる。延設部２４の前端部には内面が球面状の嵌合部２４ｂが設けられる。嵌合部２４ｂには突出部２３ｄの先端が嵌合する。これにより、端子台２０及びホルダー２２を前方に移動した際に取付部２３が下部を後方に傾斜可能に形成される。なお、突出部２３ｄと嵌合部２４ｂが球面状に形成されるため、上下左右斜め等、様々な方向に取付部２３を傾斜可能に配することができる。
【００４６】
このため、配線９８を端子台２０に接続する際に屈曲する配線９８の曲率をより小さくできる。これにより、配線９８を更に容易に接続することができる。
【００４７】
本実施形態によると、第１実施形態と同様の効果を奏することができる。また、端子台２０を前方に移動した際に、取付部２３が下部を後方に傾斜可能に形成される。これにより、配線９８の接続が更に容易になり、室内機１の設置時の作業性をより向上することができる。
【００４８】
また、突出部２３ｄを左右に延びる軸を設け、嵌合部２４ｂをその軸を受ける軸受け構造としてもよい。これにより、容易に取付部２３の下部を後方に傾斜可能に形成できる。
【００４９】
なお、第１〜第３実施形態において、ホルダー２２の下部を電装ボックス１０に軸支してホルダー２２を傾倒可能に設け、端子台２０を電装ボックス１０の前面１０ｃよりも前方に移動可能に形成してもよい。
【００５０】
以上、本発明の実施形態について説明したが、本発明の範囲はこれに限定されるものではなく、発明の趣旨を逸脱しない範囲で種々の変更を加えて実施することができる。また、本発明の実施形態のうちいくつか或いはすべてを組み合わせて用いてもよい。
【産業上の利用可能性】
【００５１】
本発明によると、配線を接続する端子台を備えた空気調和機に利用することができる。
【符号の説明】
【００５２】
１      室内機
２      筐体
２ａ    背面
３      オープンパネル
３      カバー部材
４      吸込口
５      吹出口
１０      電装ボックス
１０ａ    収納部
１０ｂ    案内部
１０ｃ    前面
１０ｄ    背壁
１０ｅ    ボス
２０      端子台
２０ａ    貫通孔
２１、２６  ネジ
２２      ホルダー
２２ａ    ネジ孔
２３      取付部
２３ａ    下壁
２３ｂ    面取り
２３ｄ    突出部
２４      延設部
２４ａ    ストッパ
２４ｂ    嵌合部
２５      クランプ部
２５ａ    環状部
９６      熱交換器
９７      送風機
９８      配線
９９      室外機
１００      空気調和機
【図１】
2018025316.tif 000003
【図２】
2018025316.tif 000004
【図３】
2018025316.tif 000005
【図４】
2018025316.tif 000006
【図５】
2018025316.tif 000007
【図６】
2018025316.tif 000008
【図７】
2018025316.tif 000009
【図８】
2018025316.tif 000010